(57)【要約】  【課題】少なくとも２本の蛍光ランプを点灯させる際に、漏れ電流によるインバータの電力ロスやノイズが大きいという問題と、２本の蛍光ランプが振動して、ガラス管どうしがぶつかって音がしたり、液晶ディスプレイの画面にちらつきが生じるという問題とを同時に解決することができる点灯装置を提供する。  【解決手段】少なくとも２本の蛍光ランプＬａ１、Ｌａ２を点灯させる点灯装置であって、第１の蛍光ランプに印加する電圧と、第２の蛍光ランプに印加する電圧との位相差が、１０度〜１７０度であることを特徴とする。  【選択図】  図３
2006351247.tif 000002
【特許請求の範囲】
【請求項１】
少なくとも２本の蛍光ランプを点灯させる点灯装置であって、
第１の蛍光ランプに印加する電圧と、第２の蛍光ランプに印加する電圧との位相差が、１０度〜１７０度であること
を特徴とする点灯装置。
【請求項２】
当該点灯装置は、
２本の蛍光ランプを点灯させる装置であり、
前記位相差が、略９０度であること
を特徴とする請求項１に記載の点灯装置。
【請求項３】
前記第１の蛍光ランプ、及び前記第２の蛍光ランプは、直管であり、
これらは互いに平行に配設され、
これらの間隔は、１ｍｍ以下であること
を特徴とする請求項１及び２の何れか１項に記載の点灯装置。
【請求項４】
当該点灯装置は、
３本の蛍光ランプを点灯させる装置であり、
第１の蛍光ランプに印加する電圧と、第２の蛍光ランプに印加する電圧との位相差、第２の蛍光ランプに印加する電圧と、第３の蛍光ランプに印加する電圧との位相差、及び第３の蛍光ランプに印加する電圧と、第１の蛍光ランプに印加する電圧との位相差が、それぞれ略１２０度であること
を特徴とする請求項１に記載の点灯装置。
【請求項５】
前記第１の蛍光ランプ、前記第２の蛍光ランプ、及び前記第３の蛍光ランプは、直管であり、
これらは互いに平行に配設され、
前記第１の蛍光ランプと前記第２の蛍光ランプとの間隔、及び前記第２の蛍光ランプと前記第３の蛍光ランプとの間隔は、１ｍｍ以下であること
を特徴とする請求項４に記載の点灯装置。
【請求項６】
当該点灯装置は、
各蛍光ランプを、バースト調光する機能を備え、
その調光周期が、３０Ｈｚ以上であり、
その調光レベル時間比率が、２５％〜１００％であること
を特徴とする請求項１〜５の何れか１項に記載の点灯装置。
【請求項７】
液晶ディスプレイに用いられるエッジライト型のバックライトユニットであって、
請求項１〜６の何れか１項に記載の点灯装置と、
前記点灯装置が点灯させる複数本の蛍光ランプと
を備えることを特徴とするバックライトユニット。
【請求項８】
エッジライト型のバックライトユニットを用いた液晶ディスプレイを備えるパーソナルコンピュータであって、
前記バックライトユニットが、
請求項１〜６の何れか１項に記載の点灯装置と、
前記点灯装置が点灯させる複数本の蛍光ランプと
を含むことを特徴とするパーソナルコンピュータ。
【請求項９】
少なくとも２本の蛍光ランプを点灯させる点灯方法であって、
第１の蛍光ランプに印加する電圧と、第２の蛍光ランプに印加する電圧との位相差が、１０度〜１７０度であること
を特徴とする点灯方法。
【請求項１０】
当該点灯方法は、
３本の蛍光ランプを点灯させる方法であり、
第１の蛍光ランプに印加する電圧と、第２の蛍光ランプに印加する電圧との位相差、第２の蛍光ランプに印加する電圧と、第３の蛍光ランプに印加する電圧との位相差、及び第３の蛍光ランプに印加する電圧と、第１の蛍光ランプに印加する電圧との位相差が、それぞれ略１２０度であること
を特徴とする請求項９に記載の点灯方法。
【発明の詳細な説明】
【技術分野】
【０００１】
本発明は、液晶ディスプレイ等に用いられるエッジライト型のバックライトユニットにおいて、複数の蛍光ランプを同時に点灯させるための点灯装置、及び、点灯方法に関し、特に、漏洩電流を低減しつつ、蛍光ランプに発生する振動を抑えるための技術に関する。
【背景技術】
【０００２】
ノートパソコンや携帯情報端末などが備える比較的小型の液晶ディスプレイには、主にエッジライト方式のバックライトが用いられている。
また近年の液晶ディスプレイの大型化に伴い、上記バックライトの光量を確保するために、蛍光ランプを複数本用いる等により光束量を増加させる必要がある。
ここで２本の蛍光ランプＡ、Ｂを同時に点灯させるための比較的簡単な方法としては、ランプ電流を安定化させるためのインピーダンスＡと蛍光ランプＡとの直列回路Ａを蛍光ランプＡに接続し、インピーダンスＢと蛍光ランプＢとの直列回路Ｂを蛍光ランプＢに接続し、これらを並列に１つの高電圧電源に接続するという方法がある。
【０００３】
しかしながら、この方法では、蛍光ランプから器具への漏れ電流が１灯の蛍光ランプを点灯させた時の２倍となり、漏れ電流によるインバータの電力ロスやノイズが大きいという問題がある。
上記漏れ電流を低減する従来の技術としては、２本の蛍光ランプに同じ周波数且つ逆位相の電圧を印加する多灯式バックライト用インバータが特許文献１に開示されており、昇圧トランスに起因するノイズが相殺されてゼロとなり、液晶表示パネルに現れるビートノイズを防止できると記載されている。
【特許文献１】特開２００２−１７５８９１号公報
【発明の開示】
【発明が解決しようとする課題】
【０００４】
ところが、エッジライト方式のバックライトにおいて、２本の蛍光ランプを０．５ｍｍ程度に近接して設置し、これらに同じ周波数且つ逆位相の電圧を印加すると、２本の蛍光ランプが振動して、ガラス管どうしがぶつかって異音がしたり、液晶ディスプレイの画面にちらつきが生じるという問題が発生した。
以下に、２本の蛍光ランプが振動する原理を簡単に説明する。
【０００５】
エッジライト方式のバックライトにおいては、光量を調整する必要があるので、バースト調光がなされているのが一般的である。ここでバースト調光とは、周期的に点灯及び消灯を繰り返し行い、それらの比率を変えることにより調光を行うことをいう。点灯及び消灯の繰り返し周期（調光周期）は、人の目に感じ難い３０〜３００Hz程度に設定されており、また「点灯時間／（点灯時間＋消灯時間）」（調光レベル時間比率）は、２５％〜１００％の範囲で任意に設定可能である。
【０００６】
そこで近接した２本の蛍光ランプに、同じ周波数（約５０kHz）且つ逆位相の電圧を、調光レベル時間比率５０％で印加する場合を考える。点灯時には、一方の蛍光ランプにかかる電位と、他方の蛍光ランプにかかる電位とがちょうど逆極性で同じ大きさなので、ランプ間にクーロン力が働きランプが引き合うが、消灯時にはランプ間に何も力が働かないので、この２つの状態が調光周期と同じ周期で繰り返される為に、調光周期に同期した振動が発生するのである。実際に、調光レベル時間比率５０％で振動は最大となり、調光レベル時間比率が１００％では振動は発生しない。
【０００７】
前記振動を抑える方法としては、ランプ自体の構造を強固にしたり、保持部品を工夫することにより実現可能であると思われるが、液晶ディスプレイの画面サイズの大型化、薄型化、及び軽量化の要求により、ランプ径は細く、ガラス厚は薄く、ランプ長は長く、保持部品は小型軽量化される方向であり、むしろ振動が増大する傾向が見られる。
本発明は、少なくとも２本の蛍光ランプを点灯させる際に、漏れ電流によるインバータの電力ロスやノイズが大きいという問題と、２本の蛍光ランプが振動して、ガラス管どうしがぶつかって音がしたり、液晶ディスプレイの画面にちらつきが生じるという問題とを同時に解決することができる点灯装置を提供することを目的とする。
【課題を解決するための手段】
【０００８】
上記目的を達成するために、本発明に係る点灯装置は、少なくとも２本の蛍光ランプを点灯させる点灯装置であって、第１の蛍光ランプに印加する電圧と、第２の蛍光ランプに印加する電圧との位相差が、１０度〜１７０度であることを特徴とする。
上記目的を達成するために、本発明に係るバックライトユニットは、上記に記載の点灯装置と、前記点灯装置が点灯させる複数本の蛍光ランプとを備えることを特徴とする。
【０００９】
上記目的を達成するために、本発明に係るパーソナルコンピュータは、バックライトユニットが、上記に記載の点灯装置と、前記点灯装置が点灯させる複数本の蛍光ランプとを備えることを特徴とする。
上記目的を達成するために、本発明に係る点灯方法は、少なくとも２本の蛍光ランプを点灯させる点灯方法であって、第１の蛍光ランプに印加する電圧と、第２の蛍光ランプに印加する電圧との位相差が、１０度〜１７０度であることを特徴とする。
を特徴とする。
【発明の効果】
【００１０】
課題を解決するための手段に記載した構成により、振動が生じない範囲で漏れ電流を抑えることができる。
従って、少なくとも２本の蛍光ランプを点灯させる際に、漏れ電流によるインバータの電力ロスやノイズが大きいという問題と、２本の蛍光ランプが振動して、ガラス管どうしがぶつかって音がしたり、液晶ディスプレイの画面にちらつきが生じるという問題とを同時に解決することができる。
【００１１】
ここで、点灯装置は、２本の蛍光ランプを点灯させる装置であり、前記位相差が、略９０度であることを特徴とすることもできる。
これにより、２本の蛍光ランプに印加する電圧の位相差が略９０度となるので、振動を抑える効果と漏れ電流を抑える効果とを、程よく備えることができる。
ここで、点灯装置において、前記第１の蛍光ランプ、及び前記第２の蛍光ランプは、直管であり、これらは互いに平行に配設され、これらの間隔は、１ｍｍ以下であることを特徴とすることもできる。
【００１２】
これにより、直管の２本の蛍光ランプが平行に１ｍｍ以下の間隔で設置されているにもかかわらず、ガラス管どうしがぶつからないように振動を抑えることが可能なので、本発明は特に有用である。
ここで、点灯装置は、３本の蛍光ランプを点灯させる装置であり、第１の蛍光ランプに印加する電圧と、第２の蛍光ランプに印加する電圧との位相差、第２の蛍光ランプに印加する電圧と、第３の蛍光ランプに印加する電圧との位相差、及び第３の蛍光ランプに印加する電圧と、第１の蛍光ランプに印加する電圧との位相差が、それぞれ略１２０度であることを特徴とすることもできる。
【００１３】
ここで、点灯方法は、３本の蛍光ランプを点灯させる方法であり、第１の蛍光ランプに印加する電圧と、第２の蛍光ランプに印加する電圧との位相差、第２の蛍光ランプに印加する電圧と、第３の蛍光ランプに印加する電圧との位相差、及び第３の蛍光ランプに印加する電圧と、第１の蛍光ランプに印加する電圧との位相差が、それぞれ略１２０度であることを特徴とすることもできる。
【００１４】
これにより、３本の蛍光ランプに印加する電圧の位相差がそれぞれ略１２０度となるので、振動を抑える効果と漏れ電流を抑える効果とを、程よく備えることができる。
ここで、点灯装置において、前記第１の蛍光ランプ、前記第２の蛍光ランプ、及び前記第３の蛍光ランプは、直管であり、これらは互いに平行に配設され、前記第１の蛍光ランプと前記第２の蛍光ランプとの間隔、及び前記第２の蛍光ランプと前記第３の蛍光ランプとの間隔は、１ｍｍ以下であることを特徴とすることもできる。
【００１５】
これにより、直管の３本の蛍光ランプがそれぞれ平行に１ｍｍ以下の間隔で設置されているにもかかわらず、ガラス管どうしがぶつからないように振動を抑えることが可能なので、本発明は特に有用である。
ここで、点灯装置は、各蛍光ランプを、バースト調光する機能を備え、その調光周期が、３０Ｈｚ以上であり、その調光レベル時間比率が、２５％〜１００％であることを特徴とすることもできる。
【００１６】
これにより、各蛍光ランプを、調光周期３０Ｈｚ以上、調光レベル２５％〜１００％でバースト調光するにもかかわらず、振動を抑えることが可能なので、本発明は特に有用である。
【発明を実施するための最良の形態】
【００１７】
（実施の形態１）
＜構成＞
図１は、本発明の実施の形態１におけるパーソナルコンピュータの概要を示す図である。
図１に示すように、本発明の実施の形態１におけるパーソナルコンピュータ１１は、例えばノート型のパソコンであり、液晶ディスプレイ１２を備え、液晶ディスプレイはバックライトユニット１３を含む。
【００１８】
バックライトユニット１３はエッジライト方式のバックライトユニットであり２本の蛍光ランプ１４ａ、１４ｂ、点灯装置１５、導光板１６、反射板１７、及び拡散板１８を含む。
導光板１６は、光を透過する樹脂板であり、バックライトユニット１３の全面に配置され、蛍光ランプ１４ａ、１４ｂから発っせられた光を液晶ディスプレイの全面に導く。
【００１９】
反射板１７は、例えばアルミ等の光を透過する金属又は金属皮膜であり、導光板１６の裏面に貼り付けられ、導光板１６の背面側へ向かう光を前面側に反射する。
拡散板１８は、半透明の樹脂性フィルムであり、導光板１６の表面に貼り付けられ、蛍光ランプから発っせられた光を拡散して、全面が均一の明るさで発光する。
蛍光ランプ１４ａ、１４ｂは、例えば冷陰極蛍光管（Cold Cathode Fluorescent Lamp 、以下「ＣＣＦＬ」と記す）や外部電極蛍光管（External Electrode Fluorescent Lamp、以下「ＥＥＦＬ」と記す）等のランプ外形が１．８〜３．０ｍｍ程度の直管の発光管であり、これらは導光板１６の一辺に平行に約０．５ｍｍ間隔で設置される。特にＥＥＦＬはＣＣＦＬよりもランプ電圧が高いので振動が発生しやすく、本発明を適用すればより効果的である。
【００２０】
なお、蛍光ランプの間隔は、０．５ｍｍに限られず、例えば１ｍｍ以下になると振動によるガラス管の衝突が十分に起こりうるので、何らかの対策が必須である。
また、蛍光ランプの形状は直管に限られず、例えば、導光板１６の一辺に隣接するＵ字型形状、導光板１６の二辺に隣接するＬ字型形状、導光板１６の三辺に隣接する矩形形状、あるいは導光板１６の四辺に隣接する矩形形状等であってもよい。
【００２１】
点灯装置１５は、２本の蛍光ランプ１４ａ、１４ｂを点灯させる点灯制御回路を備え、２本の蛍光ランプのそれぞれに印加する電圧の位相差を０度〜３６０度の範囲内で任意に設定して、漏洩電流を低減しつつ、蛍光ランプに発生する振動を抑える。
ここでは、位相の精度を±１０度とし、バースト調光における調光周期を２９０Hz、点灯時の出力電圧の周波数を５０kHz、その位相差が１０度〜１７０度の設定であり、調光レベル時間比率が２５％〜１００％の範囲で任意に設定可能であるものとする。例えば位相差が９０度では、位相差が１８０度の場合と比べて、電位差のピークはおよそ半分となり、振動を大幅に低減することが出来る。
【００２２】
図２は、点灯装置１５が出力する２つの電圧の点灯時の出力波形の一例を示す図である。
図２に示す例は、ランプ外形２．４ｍｍ、ランプ内径２．０ｍｍ、ランプ全長３９０ｍｍ、ガス圧６０ＴｏｒｒのＣＣＦＬを、ランプ間距離０．５ｍｍで２本設置するという条件において、これらに印加する各電圧の電圧波形を示しており、ともにランプ定格電圧８５０Ｖｒｍｓ、周波数５０kHzであって、位相差が９０度であり、この時振動の発生は確認されなかった。なお、位相差のみを１８０度に変更して、他を同一条件とした時には振動の発生が確認された。
【００２３】
＜回路例１＞
図３は、点灯装置１５が備える点灯制御回路の一例を示す図である。
図３に示す点灯制御回路は、１つのインバータの出力トランスに、２本の蛍光ランプに与える電圧間の位相差を設定して、同一周波数で周期の異なる２つの電圧を出力することにより２本の蛍光ランプを良好に点灯させるものであり、直流電源（Ｅ）、直流電源（Ｅ）に直列に接続されているハーフブリッジインバータのスイッチ素子（Ｑ１、Ｑ２）、インバータ電流を検出する検出抵抗（Ｒｓ１）、インバータ中点（Ｑ１とＱ２の接続点）とＧＮＤ間に接続されているインダクタ（Ｌｒ１）とキャパシタ（Ｃｒ１）とＤＣカットキャパシタ（Ｃｃ１）とからなる直列共振回路、１次側がキャパシタ（Ｃｒ１）と並列に接続された昇圧トランス（Ｔ１）、昇圧トランス（Ｔ１）の２次側に接続された直流電流を抑制する直流カットキャパシタ（Ｃｃ２）、２本分のランプ電流を検出する検出抵抗（Ｒｓ２）、蛍光ランプ（Ｌａ１）の定電流インピーダンスとなるインダクタ（Ｌ１）、蛍光ランプ（Ｌａ２）の定電流インピーダンスとなるキャパシタ（Ｃ１）、検出抵抗（Ｒｓ２）が検出するランプ電流に基づいてランプ電流を一定に保つフィードバック回路を構成する制御素子（ＩＣ１）とキャパシタ（Ｃｆ１）と保護抵抗（ＲＧ１）と保護抵抗（ＲＧ２）、バースト調光における消灯時間にＨｉ信号を周期的に出力するパルス回路（ＤＩＭＭＥＲ）、及び検出抵抗（Ｒｓ２）が検出するランプ電流に周期的にパルス回路（ＤＩＭＭＥＲ）の信号を加算する加算器（＋）を含む。
【００２４】
ここで検出抵抗（Ｒｓ２）の検出信号に、周期的にパルス回路（ＤＩＭＭＥＲ）の出力信号が加算されることにより、ＤＩＭＭＥＲがＨｉの状態では制御素子（ＩＣ１）はスイッチング停止状態となり、Ｌｏｗの状態ではスイッチングが再開されるので、バースト調光が良好に行われる。
また、インダクタ（Ｌ１）により遅れ電流が発生し、キャパシタ（Ｃ１）により進み電流が発生するので、２本の蛍光ランプに与える電圧間に位相差が生じ、その程度はインダクタ（Ｌ１）とキャパシタ（Ｃ１）の値によって設定できる。
【００２５】
なお、２本の蛍光ランプに流れるランプ電流が等しくするためには、インピーダンスを等しくするとよいので、インダクタ（Ｌ１）のインダクタンスをＬ、キャパシタ（Ｃ１）のリアクタンスをＣ、インバータ動作周波数をωとすると、ｊωＬ＝１／ｊωＣの関係を満たすようにＬとＣを選択し、さらにこのインピーダンスの値を点灯させるべき蛍光ランプの等価インピーダンス（ランプ電圧／ランプ電流）と等しくすると望ましい。このように設計したときには、インダクタ（Ｌ１）により生じる電流の遅れは４５度であり、キャパシタ（Ｃ１）により生じる電流の進みは４５度であるので、２本の蛍光ランプに与える電流および電圧間の位相差は９０度となる。
【００２６】
＜回路例２＞
図４は、点灯装置１５が備える点灯制御回路の別の一例を示す図である。
図４に示す点灯制御回路は、２つのインバータＡ、Ｂを同期させ、それらの位相差を一定に保つ遅延回路を設けることにより２本の蛍光ランプを良好に点灯させるものであり、直流電源（Ｅ）、直流電源（Ｅ）に直列に接続されているハーフブリッジインバータのスイッチ素子（Ｑ１、Ｑ２）、発信器（ＤＲＶ１）、インバータ中点（Ｑ１とＱ２の接続点）とＧＮＤ間に接続されているインダクタ（Ｌｒ１）とキャパシタ（Ｃｒ１）とＤＣカットキャパシタ（Ｃｃ１）とからなる直列共振回路、１次側がキャパシタ（Ｃｒ１）と並列に接続された昇圧トランス（Ｔ１）、昇圧トランス（Ｔ１）の２次側に接続された蛍光ランプ（Ｌａ１）の定電流インピーダンスとなるバラストキャパシタ（Ｃ１）、直流電源（Ｅ）に直列に接続されているハーフブリッジインバータのスイッチ素子（Ｑ３、Ｑ４）、発信器（ＤＲＶ２）、インバータ中点（Ｑ３とＱ４の接続点）とＧＮＤ間に接続されているインダクタ（Ｌｒ２）とキャパシタ（Ｃｒ２）とＤＣカットキャパシタ（Ｃｃ２）とからなる直列共振回路、１次側がキャパシタ（Ｃｒ２）と並列に接続された昇圧トランス（Ｔ２）、昇圧トランス（Ｔ２）の２次側に接続された蛍光ランプ（Ｌａ２）の定電流インピーダンスとなるバラストキャパシタ（Ｃ２）、発信器（ＤＲＶ２）が出力する基準信号を遅延させて発信器（ＤＲＶ１）の発振タイミングを決定する遅延回路（ＤＬ）、発信器（ＤＲＶ２）に接続されたバースト調光における消灯時間にＨｉ信号を周期的に出力するパルス回路（ＤＩＭＭＥＲ）を含む。
【００２７】
ここで発信器（ＤＲＶ２）に、周期的にパルス回路（ＤＩＭＭＥＲ）の出力信号が入力されることにより、ＤＩＭＭＥＲがＨｉの状態では発信器（ＤＲＶ２）及び発信器（ＤＲＶ１）はスイッチング停止状態となり、Ｌｏｗの状態ではスイッチングが再開されるので、バースト調光が良好に行われる。
なお、遅延回路（ＤＬ）による遅延時間は、発信器（ＤＲＶ２）の発振周期の１／２以下に設定し、この遅延時間により、２本の蛍光ランプに与える電圧間の位相差が一定に制御される。
【００２８】
本回路例２では、点灯させるべき蛍光ランプの等価インピーダンスによらずに位相差を決定することが出来るので、様々な蛍光ランプを用いた回路設計が容易に行える。また、バースト調光が比較的容易に実現できる。
＜まとめ＞
以上のように、本発明の実施の形態１によれば、振動が生じない範囲で漏れ電流を抑えることができるので、２本の蛍光ランプを点灯させる際に、漏れ電流によるインバータの電力ロスやノイズが大きいという問題と、２本の蛍光ランプが振動して、ガラス管どうしがぶつかって音がしたり、液晶ディスプレイの画面にちらつきが生じるという問題とを同時に解決することができる。
（実施の形態２）
＜動作＞
図５は、本発明の実施の形態２におけるパーソナルコンピュータの概要を示す図である。
【００２９】
図５に示すように、本発明の実施の形態２におけるパーソナルコンピュータ２１は、例えばノート型のパソコンであり、液晶ディスプレイ２２を備え、液晶ディスプレイはバックライトユニット２３を含む。
バックライトユニット２３はエッジライト方式のバックライトユニットであり３本の蛍光ランプ２４ａ、２４ｂ、２４ｃ、点灯装置２５、導光板１６、反射板１７、及び拡散板１８を含む。
【００３０】
なお、実施の形態１と同様の構成要素には同一番号を付し、その説明を省略する。
蛍光ランプ２４ａ、２４ｂ、２４ｃは、実施の形態１の蛍光ランプ１４ａ、１４ｂと同様である。
点灯装置２５は、３本の蛍光ランプ２４ａ、２４ｂ、２４ｃを点灯させる点灯制御回路を備え、３本の蛍光ランプのそれぞれに印加する電圧の位相差を０度〜３６０度の範囲内で任意に設定して、漏洩電流を低減しつつ、蛍光ランプに発生する振動を抑える。
【００３１】
ここでは、位相の精度を±１０度とし、バースト調光における調光周期を２９０Hz、点灯時の出力電圧の周波数を５０kHz、その位相差がそれぞれ１２０度の設定であり、調光レベル時間比率が２５％〜１００％の範囲で任意に設定可能であるものとする。
図６は、点灯装置２５が出力する３つの電圧の点灯時の出力波形の一例を示す図である。
【００３２】
図６に示す例は、ランプ外形２．４ｍｍ、ランプ内径２．０ｍｍ、ランプ全長３９０ｍｍ、ガス圧６０ＴｏｒｒのＣＣＦＬを、ランプ間距離０．５ｍｍで３本設置するという条件において、これらに印加する各電圧の電圧波形を示しており、ともにランプ定格電圧８５０Ｖｒｍｓ、周波数５０kHzであって、位相差がそれぞれ１２０度である。
＜回路例１＞
図７は、点灯装置２５が備える点灯制御回路の一例を示す図である。
【００３３】
図７に示す点灯制御回路は、３つのインバータＡ、Ｂ、Ｃを同期させ、それらの位相差を一定に保つ遅延回路を設けることにより３本の蛍光ランプを良好に点灯させるものであり、実施の形態１の回路例２に蛍光ランプ１本分の点灯制御回路を追加した構成であるので詳細な説明は省略する。
なお、遅延回路（ＤＬ２）による遅延時間は、発信器（ＤＲＶ３）の発振周期の１／３に設定し、延回路（ＤＬ１）による遅延時間は、発信器（ＤＲＶ２）の発振周期の１／３に設定し、これらの遅延時間により、３本の蛍光ランプに与える電圧間の位相差が一定に制御される。
【００３４】
本回路例１では、実施の形態１の回路例２と同様に、点灯させるべき蛍光ランプの等価インピーダンスによらずに位相差を決定することが出来るので、様々な蛍光ランプを用いた回路設計が容易に行える。また、バースト調光が比較的容易に実現できる。
またランプ低圧側の総和電流が０となり、ＧＮＤに接続される低圧側ランプ配線を省略することができる。
【００３５】
また、ランプＧＮＤ電流を検出することで、異常検出を行うことも出来る。
なお、さらに光束量を増加させる必要がある場合には、ランプ本数を３本よりもさらに多くして、増加した本数分の点灯制御回路を追加した構成としてもよいし、複数本ずつまとめて制御してもよい。
＜まとめ＞
以上のように、本発明の実施の形態２によれば、３相交流のような位相差の電圧を用いて３本のランプを点灯させることによりクーロン力が分散されて、振動が生じない範囲で漏れ電流を抑えることができるので、３本の蛍光ランプを点灯させる際に、漏れ電流によるインバータの電力ロスやノイズが大きいという問題と、３本の蛍光ランプが振動して、ガラス管どうしがぶつかって音がしたり、液晶ディスプレイの画面にちらつきが生じるという問題とを同時に解決することができる。また同じ蛍光ランプを２本点灯させた場合と比べて、振動をより低減することが出来る。
（変形例）
実施の形態１、及び実施の形態２では、点灯装置が出力する電圧の点灯時の出力波形を正弦波とした図を示したが、必ずしも正弦波でなくても同様の効果が期待できる。例えば三角波や方形波であっても、その位相差を１０度〜１７０度の設定とすることにより、漏れ電流によるインバータの電力ロスやノイズが大きいという問題と、２本の蛍光ランプが振動して、ガラス管どうしがぶつかって音がしたり、液晶ディスプレイの画面にちらつきが生じるという問題とを同時に解決することができる
図８は、実施の形態１の点灯装置１５が出力する２つの電圧の点灯時の出力波形の変形例を示す図である。
【００３６】
図９は、実施の形態２の点灯装置２５が出力する３つの電圧の点灯時の出力波形の変形例を示す図である。
【産業上の利用可能性】
【００３７】
本発明は、エッジライト方式のバックライトが用いられている液晶ディスプレイを備えるカーナビ、ノートパソコン、携帯情報端末、液晶モニター、液晶テレビ受像機等に広く適用することができる。本発明によって、漏洩電流を低減しつつ、蛍光ランプに発生する振動を抑えることができるので、これらの製品の低消費電力化、長寿命化、高品質化、及び小型化等に寄与することができ、その産業的利用価値は極めて高い。
【００３８】
ここで本発明がより効果を奏する蛍光ランプは、ランプ外形１．８〜３．０ｍｍ程度、ランプ内径１．４〜２．４ｍｍ程度、ランプ長１７０〜１０００ｍｍ程度のＣＣＦＬ及びＥＥＦＬである。
詳細には、カーナビやノートパソコンに汎用される、ランプ外形１．８ｍｍ、ランプ内径１．４ｍｍ、ランプ長１７０〜３５０ｍｍのＣＣＦＬにおいて発生する振動を抑えることができ、極めて有効である。
【００３９】
また、液晶モニターに汎用される、ランプ外形２．４ｍｍ、ランプ内径２．０ｍｍ、ランプ長３２０〜４３０ｍｍのＣＣＦＬにおいて発生する振動を抑えることができ、極めて有効である。
また、液晶テレビ受像機やその他の各種大型のディスプレイ用光源に汎用される、ランプ外形３．０ｍｍ、ランプ内径２．４ｍｍ、ランプ長４５０〜１０００ｍｍのＣＣＦＬ及びＥＥＦＬにおいて発生する振動を抑えることができ、極めて有効である。
【図面の簡単な説明】
【００４０】
【図１】本発明の実施の形態１におけるパーソナルコンピュータの概要を示す図である。
【図２】点灯装置１５が出力する２つの電圧の点灯時の出力波形の一例を示す図である。
【図３】点灯装置１５が備える点灯制御回路の一例を示す図である。
【図４】点灯装置１５が備える点灯制御回路の別の一例を示す図である。
【図５】本発明の実施の形態２におけるパーソナルコンピュータの概要を示す図である。
【図６】点灯装置２５が出力する３つの電圧の点灯時の出力波形の一例を示す図である。
【図７】点灯装置２５が備える点灯制御回路の一例を示す図である。
【図８】実施の形態１の点灯装置１５が出力する２つの電圧の点灯時の出力波形の変形例を示す図である。
【図９】実施の形態２の点灯装置２５が出力する３つの電圧の点灯時の出力波形の変形例を示す図である。
【符号の説明】
【００４１】
１１    パーソナルコンピュータ
１２    液晶ディスプレイ
１３    バックライトユニット
１４ａ  蛍光ランプ
１４ｂ  蛍光ランプ
１５    点灯装置
１６    導光板
１７    反射板
１８    拡散板
２１    パーソナルコンピュータ
２２    液晶ディスプレイ
２３    バックライトユニット
２４ａ  蛍光ランプ
２４ｂ  蛍光ランプ
２４ｃ  蛍光ランプ
２５    点灯装置
【図１】
2006351247.tif 000003
【図２】
2006351247.tif 000004
【図３】
2006351247.tif 000005
【図４】
2006351247.tif 000006
【図５】
2006351247.tif 000007
【図６】
2006351247.tif 000008
【図７】
2006351247.tif 000009
【図８】
2006351247.tif 000010
【図９】
2006351247.tif 000011